(57)【要約】【課題】配索板の剛性を高めることができる電気接続箱を提供する。【解決手段】電気接続箱１は、複数の低圧バスバ２及び高圧バスバ３と、これら複数のバスバ２，３が配索される合成樹脂製の配索板４と、複数のバスバ２，３を覆う合成樹脂製のカバー５と、を備えている。また、配索板４と反対側であるカバー５側には、ヒューズ、リレー１２、ワイヤハーネスのコネクタ等の電子部品が装着される電子部品装着部７〜１０が設けられている。配索板４には、低圧バスバ２が配索される低圧バスバ配索面４２と、高圧バスバ３が配索される高圧バスバ配索面４３と、が設けられている。低圧バスバ配索面４２は、高圧バスバ配索面４３よりもカバー５側に位置している。【選択図】図７
2014230328.tif 000002
【特許請求の範囲】
【請求項１】
複数のバスバと、該複数のバスバが配索される配索板と、該配索板に配索された複数のバスバを覆うカバーと、を備え、前記配索板と反対側である前記カバー側に電子部品装着部が設けられた電気接続箱において、
前記複数のバスバが、所定電圧が印加される低圧バスバと、前記所定電圧よりも高い電圧が印加される高圧バスバと、を含んでおり、
前記配索板に、前記低圧バスバが配索される低圧バスバ配索面と、前記高圧バスバが配索される高圧バスバ配索面と、が設けられ、
前記低圧バスバ配索面が前記高圧バスバ配索面よりも前記カバー側に位置している
ことを特徴とする電気接続箱。
【請求項２】
前記低圧バスバ及び前記高圧バスバに、前記低圧バスバ配索面又は前記高圧バスバ配索面に沿う配索部と、該配索部から前記カバー側に曲げ起こされ、前記電子部品装着部を構成する接続部と、が設けられている
ことを特徴とする請求項１に記載の電気接続箱。
【請求項３】
前記カバーに、前記低圧バスバ配索面側又は前記高圧バスバ配索面側に延び、前記低圧バスバ又は前記高圧バスバのいずれかをそれぞれ押さえる押さえ部が設けられている
ことを特徴とする請求項１又は請求項２に記載の電気接続箱。
【発明の詳細な説明】
【技術分野】
【０００１】
本発明は、自動車に搭載される電気接続箱に関するものである。
【背景技術】
【０００２】
自動車に搭載される電気接続箱には様々な構造のものがあるが、例えば、図９，１０に示す配索板及びバスバを備えた構造のものがある（例えば特許文献１を参照。）。図９は従来の電気接続箱を構成する配索板及びバスバの斜視図である。図１０は図９中のＤ−Ｄ線に沿った断面図である。
【０００３】
図９，１０中の符号３０４は合成樹脂で構成された配索板であり、符号３０２は低圧バスバであり、符号３０３は高圧バスバである。低圧バスバ３０２には、１２Ｖの電圧が印加され、高圧バスバ３０３には、低圧バスバ３０２よりも高い電圧が印加される。
【０００４】
上記低圧バスバ３０２及び高圧バスバ３０３には、浅い箱状に形成された配索板３０４の底面３４０に沿って配索される配索部３２１，３３１と、配索部３２１，３３１から直角に曲げ起こされた接続部３２２，３３２と、が設けられている。接続部３２２，３３２は、ヒューズ、リレー、コネクタ等の電子部品が装着される電子部品装着部を構成する。
【０００５】
上記配索板３０４には、底面３４０から立設したリブ３４２，３４３が設けられている。これらリブ３４２，３４３は、低圧バスバ３０２及び高圧バスバ３０３を位置決めしたり、隣接したバスバ間を絶縁するためのものである。また、リブ３４２，３４３の底面３４０からの高さは、絶縁するバスバの電圧値に応じた高さが必要であり、高圧バスバ３０３を絶縁するリブ３４３は、低圧バスバ３０２を絶縁するリブ３４２よりも高さが大きく取られている。
【０００６】
上記バスバ３０２，３０３が配索された配索板３０４には、合成樹脂で構成されたカバーが取り付けられる。このカバーには、バスバ３０２，３０３の配索部３２１，３３１を押さえる押さえ部や、上記電子部品が嵌まる嵌合部などが設けられている。上記電子部品装着部は、カバーに設けられた前記嵌合部と、接続部３２２，３３２と、で構成されている。
【先行技術文献】
【特許文献】
【０００７】
【特許文献１】特開２０１２−６５４０４号公報
【発明の概要】
【発明が解決しようとする課題】
【０００８】
上述した配索板３０４を備えた電気接続箱においては、以下に示す複数の問題があった。
【０００９】
まず、配索板３０４を備えた電気接続箱は、低圧バスバ３０２の配索部３２１及び高圧バスバ３０３の配索部３３１が配索板３０４における同一面、すなわち底面３４０、で配索される構造であり、底面３４０が平坦な形状であるので、配索板３０４の剛性が低いという問題があった。
【００１０】
また、配索板３０４の上下方向の高さ、すなわち深さは、高圧バスバ３０３の絶縁に必要な絶縁距離（上記リブ３４３の高さ等に起因する。）に基いて設定されている。しかし、この高圧バスバ３０３の絶縁に必要な絶縁距離は、低圧バスバ３０２の絶縁においては過多である。低圧バスバ又は高圧バスバの一方のみを含む電子部品装着部であれば、低圧バスバの接続部は高圧バスバの接続部よりも短いのが通常であるが（高圧バスバの接続部は、低圧バスバの接続部よりも大きく取る必要があり、それに応じてその長さも低圧バスバの接続部より長くなる。）、上述したように、低圧バスバ３０２の配索部３２１は高圧バスバ３０３の配索部３３１と同一面で配索されているので、低圧バスバ３０２の接続部３２２と高圧バスバ３０３の接続部３３２との双方を含む電子部品装着部（例えばリレー装着部）においては、低圧バスバ３０２の接続部３２２の高さを高圧バスバ３０３の接続部３３２の高さと揃えなければならず、接続部３２２に無駄な部分が生じてしまうという問題があった。
【００１１】
さらに、低圧バスバ３０２の接続部３２２のみを有する電子部品装着部（例えばコネクタ装着部）においては、当該電子部品装着部の位置が低い位置、すなわち底面３４０に近い位置、となり、電子部品の挿入作業性が悪いという問題があった。
【００１２】
さらに、低圧バスバ３０２の配索部３２１は、高圧バスバ３０３の配索部３３１と同じ低い位置に配索されているので、上記カバーの押さえ部を長く形成しなければならず、樹脂を多く使用しなければならないという問題があった。
【００１３】
したがって、本発明は、配索板の剛性を高めることができる電気接続箱を提供することを目的とする。
【課題を解決するための手段】
【００１４】
請求項１に記載された発明は、複数のバスバと、該複数のバスバが配索される配索板と、該配索板に配索された複数のバスバを覆うカバーと、を備え、前記配索板と反対側である前記カバー側に電子部品装着部が設けられた電気接続箱において、前記複数のバスバが、所定電圧が印加される低圧バスバと、前記所定電圧よりも高い電圧が印加される高圧バスバと、を含んでおり、前記配索板に、前記低圧バスバが配索される低圧バスバ配索面と、前記高圧バスバが配索される高圧バスバ配索面と、が設けられ、前記低圧バスバ配索面が前記高圧バスバ配索面よりも前記カバー側に位置していることを特徴とする電気接続箱である。
【００１５】
請求項２に記載された発明は、請求項１に記載された発明において、前記低圧バスバ及び前記高圧バスバに、前記低圧バスバ配索面又は前記高圧バスバ配索面に沿う配索部と、該配索部から前記カバー側に曲げ起こされ、前記電子部品装着部を構成する接続部と、が設けられていることを特徴とするものである。
【００１６】
請求項３に記載された発明は、請求項１又は請求項２に記載された発明において、前記カバーに、前記低圧バスバ配索面側又は前記高圧バスバ配索面側に延び、前記低圧バスバ又は前記高圧バスバのいずれかをそれぞれ押さえる押さえ部が設けられていることを特徴とするものである。
【発明の効果】
【００１７】
請求項１に記載された発明によれば、前記低圧バスバ配索面が前記高圧バスバ配索面よりも前記カバー側に位置しているので、配索板が異なる平面上に位置する複数の面を有する構造となり、当該配索板の剛性を高めることができる。
【００１８】
請求項２に記載された発明によれば、低圧バスバの接続部の高さを最小化することができ、当該低圧バスバの金属使用量を少なくすることができる。
【００１９】
請求項３に記載された発明によれば、低圧バスバを押さえる押さえ部の長さを最小化することができ、カバーの樹脂使用量を少なくすることができる。
【図面の簡単な説明】
【００２０】
【図１】本発明の第１の実施形態にかかる電気接続箱を示す平面図である。
【図２】図１に示された電気接続箱の斜視図である。
【図３】図２に示された電気接続箱の分解図である。
【図４】図２中のＡ−Ａ線に沿った断面図である。
【図５】図３に示された配索板及びバスバの斜視図である。
【図６】図５中のＢ−Ｂ線に沿った断面図である。
【図７】図１中のＣ−Ｃ線に沿った断面図である。
【図８】本発明の第２の実施形態にかかる電気接続箱を構成するカバーの裏面を示す図である。
【図９】従来の電気接続箱を構成する配索板及びバスバの斜視図である。
【図１０】図９中のＤ−Ｄ線に沿った断面図である。
【発明を実施するための形態】
【００２１】
（第１の実施形態）
本発明の第１の実施形態にかかる「電気接続箱」を図１〜７を参照して説明する。
【００２２】
図１〜４に示す電気接続箱１は、自動車に搭載されて主に電源分配を行うものであり、複数のバスバと、該複数のバスバが配索される配索板４と、該配索板４に取り付けられて前記バスバを覆うカバー５と、配索板４とカバー５の間に配置される複数のブロック８０，９０，１００等を備えている。
【００２３】
また、電気接続箱１は、配索板４と反対側であるカバー５側に、ヒューズ１１、リレー１２、ワイヤハーネスのコネクタ等の電子部品が装着される電子部品装着部７〜１０が設けられている。電子部品装着部７は、リレー１２が装着される装着部である。電子部品装着部８，９は、ワイヤハーネスのコネクタが装着される装着部である。電子部品装着部１０は、ヒューズ１１が装着される装着部である。
【００２４】
上記複数のバスバは、金属板にプレス加工等が施されて得られるものである。複数のバスバは、所定電圧が印加される低圧バスバ２と、所定電圧よりも高い電圧が印加される高圧バスバ３と、を含んでいる。本実施形態では、低圧バスバ２に１２Ｖの電圧が印加され、高圧バスバ３に４６Ｖの電圧が印加される。
【００２５】
上記低圧バスバ２には、図５に示すように、配索板４の後述する配索面４２に沿う配索部２１と、該配索部２１からカバー５側に直角に曲げ起こされた接続部２２と、が設けられている。同様に、上記高圧バスバ３にも、配索板４の後述する配索面４３に沿う配索部３１と、該配索部３１からカバー５側に直角に曲げ起こされた接続部３２と、が設けられている。
【００２６】
上記配索板４は、合成樹脂で構成され、浅い箱状に形成されている。図６，７に示すように、配索板４には、低圧バスバ２の配索部２１が配索される低圧バスバ配索面４２と、高圧バスバ３の配索部３１が配索される高圧バスバ配索面４３と、が設けられている。低圧バスバ配索面４２は、高圧バスバ配索面４３よりもカバー５側に位置している。
【００２７】
このように、配索板４は、低圧バスバ配索面４２が高圧バスバ配索面４３よりもカバー５側に位置している。よって、配索板４が異なる平面上に位置する複数の面を有する構造となり、当該配索板４の剛性を高めることができる。また、低圧バスバ２の接続部２２の高さを最小化することができ、当該低圧バスバ２の金属使用量を少なくすることができる。
【００２８】
さらに、配索板４には、配索面４２からカバー５側に立設した複数のリブ４６と、配索面４３からカバー５側に立設した複数のリブ４７と、が設けられている。これらリブ４６，４７は、低圧バスバ２及び高圧バスバ３を位置決めしたり、隣接したバスバ間を絶縁するためのものである。また、リブ４６，４７の高さは、絶縁するバスバの電圧値に応じた高さが必要であり、高圧バスバ３を絶縁するリブ４７は、低圧バスバ２を絶縁するリブ４６よりも高さが大きく取られている。また、リブ４７の先端は、リブ４６の先端よりもカバー５側に位置している。
【００２９】
上記カバー５は、合成樹脂で構成されている。カバー５には、配索板４側に延びた複数の押さえ部５１が設けられている。押さえ部５１は、図７に示すように、低圧バスバ２の配索部２１又は高圧バスバ３の配索部３１を押さえて各バスバ２，３の位置ずれを規制するものである。
【００３０】
また、上述したように、低圧バスバ配索面４２が高圧バスバ配索面４３よりもカバー５側に位置しているので、低圧バスバ２の配索部２１を押さえる押さえ部５１の長さを最小化することができ、カバー５の樹脂使用量を少なくすることができる。
【００３１】
さらに、カバー５には、図３，７に示すように、上記リレー１２が嵌まる嵌合部７１が設けられている。嵌合部７１の底面には、リレー１２の各端子１２ａが挿通される複数の挿通孔７２が設けられている。リレー１２が嵌合部７１に嵌め込まれることにより各挿通孔７２を挿通された各端子１２ａは、中継端子６によって低圧バスバ２の接続部２２又は高圧バスバ３の接続部３２と電気接続される。これら嵌合部７１、中継端子６、低圧バスバ２の接続部２２、高圧バスバ３の接続部３２は、上記電子部品装着部７を構成している。
【００３２】
上記電子部品装着部７を構成する接続部２２，３２においては、図７に示すように、接続部２２が接続部３２よりも短く形成されているが、低圧バスバ配索面４２が高圧バスバ配索面４３よりもカバー５側に位置していることから、接続部２２の先端位置は接続部３２の先端位置と揃っている。よって、リレー１２を装着するのに支障は生じない。また、低圧バスバ２の接続部２２は、高圧バスバ３の接続部３２よりも幅が細く形成されているが、長さが短く形成されているので変形し難い。
【００３３】
その他、カバー５には、上記ブロック８０，９０，１００に設けられた後述する嵌合部８１，９１，１０１が通される開口部５２と、嵌合部８１，９１，１０１を開口部５２に案内するガイドリブ５３と、が設けられている。
【００３４】
上記複数のブロック８０，９０，１００は、合成樹脂で構成された部品であり、低圧バスバ２の接続部２２又は高圧バスバ３の接続部３２と共に上記電子部品装着部８，９，１０を構成するものである。
【００３５】
上記ブロック９０には、図４に示すように、ワイヤハーネスのコネクタが嵌まる嵌合部９１と、嵌合部９１に連通し、低圧バスバ２の各接続部２２が挿通される複数の接続部挿通孔９２と、が設けられている。嵌合部９１は、カバー５の開口部５２を通されてカバー５外に突出している。これらブロック９０、複数の接続部２２は、上記電子部品装着部９を構成している。上記ブロック８０は、ブロック９０と同様に、複数の接続部２２と共に、ワイヤハーネスのコネクタが装着される電子部品装着部８を構成している。
【００３６】
上記電子部品装着部８，９は、上述したように、ブロック８０，９０と複数の接続部２２とで構成されている。これら電子部品装着部８，９は、低圧バスバ配索面４２が高圧バスバ配索面４３よりもカバー５側に位置していることから、その位置が高い位置、すなわちカバー５に近い位置、となり、コネクタの挿入作業性が良い。
【００３７】
上記ブロック１００には、図３，４に示すように、ヒューズ１１が嵌まる嵌合部１０１と、嵌合部１０１に連通し、高圧バスバ３の各接続部３２が挿通される接続部挿通孔１０２と、が設けられている。嵌合部１０１は、カバー５の開口部５２を通されてカバー５外に突出している。これらブロック１００、複数の接続部３２は、上記電子部品装着部１０を構成している。また、このブロック１００には、複数の嵌合部１０１が一体に設けられている。
【００３８】
（第２の実施形態）
本発明の第２の実施形態にかかる「電気接続箱」を図８を参照して説明する。図８において、前述した第１の実施形態と同一構成部分には同一符号を付して説明を省略する。
【００３９】
本実施形態の電気接続箱は、第１の実施形態で説明したブロック８０，９０，１００を備えておらず、その代わりに、図８に示すカバー５’を備えている。カバー５’は、第１の実施形態で説明したカバー５の構成に加えて、嵌合部８１，９１，１０１を一体に有している。
【００４０】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４１】
１  電気接続箱
２  低圧バスバ
３  高圧バスバ
４  配索板
５，５’  カバー
７〜１０  電子部品装着部
２１，３１  配索部
２２，３２  接続部
４２  低圧バスバ配索面
４３  高圧バスバ配索面
【図１】
2014230328.tif 000003
【図２】
2014230328.tif 000004
【図３】
2014230328.tif 000005
【図４】
2014230328.tif 000006
【図５】
2014230328.tif 000007
【図６】
2014230328.tif 000008
【図７】
2014230328.tif 000009
【図８】
2014230328.tif 000010
【図９】
2014230328.tif 000011
【図１０】
2014230328.tif 000012